(57)【特許請求の範囲】
【請求項１】
ケース内に配設されるヒータの下面に下部電極を配設すると共に、該ヒータの上面に上部電極を兼ねた放熱板を配設し、該上下の電極にて該ヒータを挟持し、更に、之等ヒータ並びに之に接続されるべき前記上下電極を合成樹脂製のケース本体部及び中間蓋体によって上下方向から挟持したことを特徴とする蒸散器。
【請求項２】
上記下部電極の接触端子の上面中心部に突部が設けられ、該突部にて前記ヒータの下面を上方へ圧接すると共に、該下部電極は斜下方向へ突設された複数の脚片にて弾性的に支持されるように構成されたことを特徴とする請求項１記載の蒸散器。
【発明の詳細な説明】
【０００１】
【発明の属する技術分野】
この発明は蒸散器に関するものであり、特に、自己温度制御機能を有するＰＴＣヒータを用いて被昇温体を定温に昇温できるようにした蒸散器に関するものである。
【０００２】
【従来の技術及び発明が解決しようとする課題】
従来、此種蒸散器はセラミックヒータを用いたものが知られている。而して、該セラミックヒータは自己温度制御機能を有しないので、サーミスター等によって所定温度に維持されるように組み付けられている。従って、該セラミックヒータを用いた蒸散器は温度制御のための他の部品を必要とし、それに伴う部品点数が増大し、コスト高の要因となる。更に、被昇温体は該セラミックヒータ上に直接載置されるように構成されているので、外観上の美感を損っている。
【０００３】
そこで、ＰＴＣヒータを用いた蒸散器であって、且つ、部品点数を節減してコストダウンに寄与し、更に、外観上の美感を向上せしめるために解決せられるべき技術的課題が生じてくるのであり、本発明は該課題を解決することを目的とする。
【０００４】
【課題を解決するための手段】
本発明は上記目的を達成するために提案せられたものであり、ケース内に配設されるヒータの下面に下部電極を配設すると共に、該ヒータの上面に上部電極を兼ねた放熱板を配設し、該上下の電極にて該ヒータを挟持し、更に、之等ヒータ並びに之に接続されるべき前記上下電極を合成樹脂製のケース本体部及び中間蓋体によって上下方向から挟持した蒸散器、及び、上記下部電極の接触端子の上面中心部に突部が設けられ、該突部にて前記ヒータの下面を上方へ圧接すると共に、該下部電極は斜下方向へ突設された複数の脚片にて弾性的に支持されるように構成された蒸散器を提供するものである。
【０００５】
【発明の実施の形態】
以下、本発明の一実施の形態を図１乃至図１１に従って詳述する。尚、説明の都合上、本発明の蒸散器に関連する技術事項も同時に説明するものとする。図１乃至図３は合成樹脂製のケース１を示す。該ケース１は上面解放のケース本体部２と、該ケース本体部２上面に密嵌される中間蓋体３と、該中間蓋体３上に所定の空間部４を有して蓋装される上部蓋体５とから成る。該ケース１は図に於いて左側には図１１に示すコンセントプラグ６，６が嵌合される。そこで、該コンセントプラグ６，６を嵌合するために図４に示すように、前記ケース本体部２の左側部内底部に前記コンセントプラグ６，６を嵌挿して挟持する溝部７，７が設けられており、更に、該溝部７，７の中間部に図５に示す前記中間蓋体３を嵌合するためのビス孔８を設けてある。又、図４（ａ）に示すように、該ケース本体部２の右側の中央部に所定間隔を有して略三角形頂点位置に小突部９，９，９が突設されており、且つ、該小突部９，９，９の左右（図４（ａ）に於いて上下）に略半月状の突部１０，１０が突設され、更に、該突部１０，１０の内側面に対峙して凹欠溝１０ａ，１０ａが設けられている。又、該突部１０，１０間の略中間部に前記小突部９近傍及び前記コンセントプラグ６の配設近傍に及んで、後述の下部電極の導体部２４ｄと上部電極の接続端子片２７とを隔離して配設するための直線状の隔壁部１１が設けられており、且つ、該ケース本体部２の左右壁部（図４（ａ）に於いて上下）の略中間部内側面にビス孔用ボス部１２，１２が対峙して設けられている。而も、該ビス孔用ボス部１２，１２は図３に示すビス１３が該ケース本体部２の外側面より挿入され、そして、後述の上部蓋体５に設けられている蓋体部ビス孔１４，１４に螺合して双方を結合できるように構成されている。
【０００６】
次に、前記中間蓋体３について説明する。該中間蓋体３は合成樹脂製であり、而も、図５に示すように略皿状に形成され、そして、上記ケース本体部２の上面解放部２ａの底部に突設された前記半月状の突部１０，１０上面に当接し、そして、後述のように該中間蓋体３がケース本体部２の上面解放部２ａに密嵌できるように構成されると共に、同図に於いて左側部には前記コンセントプラグ６，６に接続せられるべき他の回路のプラグ（図示せず）の挿入孔１５，１５を設けたブラケット部３ａが突設されており、該挿入孔１５，１５の中間部の下側面に前記ケース本体部２に設けたビス孔８に対してビス孔用突部１６が設けられている。又、前記ケース本体部２の内側面に突設されている前記ビス孔用ボス部１２，１２上面に当接する突輪部１７を外側方向へ突設し、そして、該ビス孔用ボス部１２，１２に設けられているビス孔を回避するように該突輪部１７に切欠部１８，１８が設けられている。尚、図５（ｂ）に於いて１９，１９…は脚部を示し、２０は該中間蓋体３の上端部に設けられた鍔部であって、前記ケース本体部２の上端部位内側面に密嵌するように形成されている。
【０００７】
次に、前記上部蓋体５を図６に従って説明する。該上部蓋体５は合成樹脂にて形成され、所々に香料等の発散孔２１，２１…を有し、且つ、前記ケース本体部２の周壁上面に当接して前記中間蓋体３との間に前記空間部４を保持できるように形成されている。更に、該図６に於いて、該上部蓋体５の左側部にはアール状の切欠部２２が設けられて前記中間蓋体３のブラケット部３ａの右側面に密接できるように構成されている。又、該上部蓋体５の略中央部位であって、外側縁部の下面に前記ビス孔用ボス部１２，１２に対峙して設けられた前述の蓋体部ビス孔１４のビス用突部１４ａ，１４ａが突設されており、そして、該ビス用突部１４ａ，１４ａの下面が前記中間蓋体３に設けられている前記切欠部１８，１８によって該ビス孔用ボス部１２，１２に設けたビス孔と対向し、前述のビス１３，１３によってケース本体部２に前記中間蓋体３及び上部蓋体５が結合されるように構成されている。又、該ケース本体部２に設けた前述のビス孔８の下面よりビス１３ａを挿入し、そして、中間蓋体３に設けたビス孔用突部１６のビス孔に螺合して該中間蓋体３をケース本体部２に結合されている。
【０００８】
図７は図９に示すＰＴＣヒータ２３下面に圧接せられて下部電極を形成するための接触端子２４を示す。該接触端子２４は端子部２４ａと導体部２４ｂとを有し、該導体部２４ｂは左端部を水平方向（図７（ａ）に於いて下方）へ略直角に折曲した状態に延設され、更に、該延設部２４ｃの先端部を上方へ突設し、該突設部２４ｄが前記一方のコンセントプラグ６に接続する。又、前記端子部２４ａの下面三方向へ脚片２４ｅ，２４ｅ，２４ｅが斜下方向へ突設されており、該脚片２４ｅ，２４ｅ，２４ｅによって該端子部２４ａを前記ＰＴＣヒータ２３を上方へ押圧付勢している。
【０００９】
図８は上部電極の組体Ｋを示す。該組体Ｋはリード線２５の中間部にヒューズ抵抗２６が設けられており、該リード線の一端部（図８に於いて左端部）には接続端子片２７がカシメ手段によって接続されている。又、該接続端子片２７の先端一側縁部には接続片２７ｃが上方へ直角に突設され、そして、該接続片２７ｃが前記他方のコンセントプラグ６に接続される。更に、該リード線２５の他端部には上部電極を兼ねた放熱板２８に突設した接続部２８ａがカシメ手段によって結合されている。而して、該上部電極を兼ねた放熱板２８はアルミ薄板等によって前記接続部２８ａと共に一体的に打抜きプレス加工によって略円形に形成される。更に、該円形状の放熱板２８周辺部下面に打抜プレス加工にて突設された係合片２８ｂ，２８ｂを対峙して設け、そして、前記ケース本体部２に設けた半月状の突部１０，１０に設けた凹欠溝１０ａ，１０ａに係合せしめて、該放熱板２８を該半月状の突部１０，１０上に位置決めして載置されるように構成されている。
【００１０】
又、前記ＰＴＣヒータ２３は、前記ケース本体部２に設けた小突部９，９，９間に脚片２４ｅ，２４ｅ，２４ｅを介装して配設される前記接触端子２４の端子部２４ａ上に載置される。従って、該ＰＴＣヒータ２３は該端子部２４ａ上に載置できる程度の外形を有するように形成される。而して、該ＰＴＣヒータ２３は低温で固有の抵抗値を有し、所定温度に達したときには急激に抵抗値が増大して電気導通を制限し、斯くして、自己温度制御機能を有し、被昇温体（図示せず）を常時定温で加温するように形成されている。
【００１１】
次に、前記ケース本体部２に組み付けられるコンセントプラグ６はケース本体部２に設けた前記溝部７，７に嵌合され、そして、下方部のプラグ部６ａを該ケース本体部２の下方へ突設して他のコンセントへ接続できるように構成されている。又、夫々のプラグ部６ａの上方へ設けた夫々のコンセント部６ｂの上面は前記中間蓋体３に開穿した挿入孔１５，１５に対峙しており、該挿入孔１５，１５から他のプラグを挿入して該コンセント部６ｂ，６ｂに電気的導通が可能になるように構成されている。
【００１２】
斯くの如く、上記各部材がケース本体部２内に組み付けられた後、前記中間蓋体３がケース本体部２上に嵌合され、そして、ＰＴＣヒータ２３は下部電極を構成する接触端子２４の中心部に突設された突片２４ｇによって上方へ圧接され、更に、上部電極を構成する放熱板２８間に挟持されると共に、該放熱板２８は前記中間蓋体３によって上面が下方へ押圧されており、斯くして、ＰＴＣヒータ２３の電気的導通が良好となり、該ＰＴＣヒータ２３の機能は充分に発揮せられることになる。そして、中間蓋体３上に放香剤等の被昇温体を挿入すれば、該被昇温体は前記ＰＴＣヒータ２３によって直接に加熱された放熱板２８を介して該中間蓋体３が昇温し、該温度で被昇温体を適正温度に加温することができることになる。
【００１３】
尚、本発明は、本発明の精神を逸脱しない限り種々の改変を為すことができ、そして、本発明が該改変されたものに及ぶことは当然である。
【００１４】
【発明の効果】
本発明は上記一実施の形態にて詳述したように、蒸散器としてＰＴＣ（Positive Temperature Coefficient）ヒータを用い、且つ、該ＰＴＣヒータは上下電極によって挟持されているので、電気的導通が良好となることは当然であるが、特に、下部電極は複数の脚片によって弾性的に支持されて該ＰＴＣヒータを該下部電極の接触端子に設けた突部にて圧接し、更に、上部電極を兼ねた放熱板との間に該ＰＴＣヒータが直接に挟持されているので、該放熱板は該ＰＴＣヒータによって直接加熱され、そして、加熱された該放熱板によって該放熱板上を被覆している合成樹脂製の蓋体が昇温し、該蓋体上に載置される被昇温体がこの温度によって加温されるので、該被昇温体は常時定温度に保温されることが可能となる。更に又、従来のセラミックヒータのように温度制御のためのサーミスター等を必要としないので部品点数を節減でき、コストダウンにも寄与すると共に、前記ＰＴＣヒータ部位は前記合成樹脂製の蓋体によって被覆されているので、外観上の美的感覚も向上する等、正に著大なる効果を奏する発明である。
【図面の簡単な説明】
【図１】本発明に用いられるケースの平面図。
【図２】図１の側面図。
【図３】図１のＡ−Ａ線断面図。
【図４】（ａ）本発明に用いるケース本体部の平面図。
（ｂ）図４（ａ）のＢ−Ｂ線断面図。
【図５】（ａ）本発明に用いる中間蓋体の平面図。
（ｂ）図５（ａ）のＣ−Ｃ線断面図。
【図６】（ａ）上部蓋体の平面図。
（ｂ）図６（ａ）のＤ−Ｄ線断面図。
【図７】（ａ）本発明に用いる接触端子の平面図。
（ｂ）図７（ａ）の側面図。
【図８】本発明に用いる上部電極組体の斜面図。
【図９】本発明に用いるＰＴＣヒータの斜面図。
【図１０】本発明に用いるケース本体部にコンセントプラグ、ＰＴＣヒータ及び該ＰＴＣヒータの上下に配設される電極を組み付けた状態を示す平面図。
【図１１】図１０に中間蓋体を蓋装したときのＥ−Ｅ線断面図。
【符号の説明】
１          ケース
２          ケース本体部
３          中間蓋体
４          空間部
２３          ＰＴＣヒータ
２４          接触端子
２４ｇ        突部
２５          リード線
２６          ヒューズ抵抗
２７          接続端子片
２８          放熱板
【図１】
0003753621.tif 000002
【図２】
0003753621.tif 000003
【図３】
0003753621.tif 000004
【図４】
0003753621.tif 000005
【図５】
0003753621.tif 000006
【図６】
0003753621.tif 000007
【図７】
0003753621.tif 000008
【図８】
0003753621.tif 000009
【図９】
0003753621.tif 000010
【図１０】
0003753621.tif 000011
【図１１】
0003753621.tif 000012